(57)【要約】【課題】  細断屑が嵩張らずに済み、且つ細断率が良いと共に、製造コストを抑え、小型化も可能なシュレッダーを提供する。【解決手段】  細断用紙を投入するための投入口と、前記投入口から投入された細断用紙を細断するための細断部とを含むシュレッダーにおいて、細断部が、多数の凸状細断刃を周面に備えた回転刃と、前記回転刃の長手方向長さと同一の長さを有し、前記回転刃の凸状細断刃と噛み合う多数の凹状細断刃を備えた固定刃と、を有し、前記回転刃の凸状細断刃と前記固定刃の凹状細断刃とが互いに噛み合うことで前記細断用紙が細断されてなるようにした。【選択図】図１
2013154307.tif 000002
【特許請求の範囲】
【請求項１】
細断用紙を投入するための投入口と、前記投入口から投入された細断用紙を細断するための細断部とを含むシュレッダーにおいて、細断部が、多数の凸状細断刃を周面に備えた回転刃と、前記回転刃の長手方向長さと同一の長さを有し、前記回転刃の凸状細断刃と噛み合う多数の凹状細断刃を備えた固定刃と、を有し、前記回転刃の凸状細断刃と前記固定刃の凹状細断刃とが互いに噛み合うことで前記細断用紙が細断されてなることを特徴とするシュレッダー。
【請求項２】
前記回転刃の凸状細断刃及び前記固定刃の凹状細断刃がそれぞれ列設されてなり、前記回転刃の凸状細断刃又は前記固定刃の凹状細断刃のいずれかが、前記回転刃の軸線に対して傾いて設けられていることを特徴とする請求項１記載のシュレッダー。
【請求項３】
前記回転刃が、円筒状回転体とその周面に設けられた凸状細断刃とを含み、前記凸状細断刃が前記円筒状回転体の周面に対して直角とされた直角側面部を有することを特徴とする請求項１又は２記載のシュレッダー。
【請求項４】
前記回転刃の前記凸状細断刃が側面視矩形波状とされてなることを特徴とする請求項１又は２記載のシュレッダー。
【発明の詳細な説明】
【技術分野】
【０００１】
本発明は、廃棄用紙などの被細断物を細断するシュレッダーの改良に関し、更に詳細には新規な細断方式を採用したシュレッダーに関する。
【背景技術】
【０００２】
シュレッダーは、不要文書等の被細断物をその内容の判別が不能までに細断刃で細断する機械である。シュレッダー本体の上部には、被細断物を投入するための投入口が設けられており、前記投入口に投入された被細断物を細断するための細断刃が設けられている。
【０００３】
シュレッダーの細断方式は、クロスカット方式とダブル（スパイラル）カット方式とに大別される。
【０００４】
クロスカット方式とは、多数の回転刃を設けた一対の細断刃で構成される細断方式であり、昨今のシュレッダーで最も広く採用されている方式である。
【０００５】
このようなクロスカット方式は、“破る”（例：手で引き裂く、千切る）タイプであるため、細断屑がよれて、細断屑が膨らんでしまう。そのため、細断屑の嵩張りが大きいという問題がある。また、このタイプでは、紙同士がくっついたりして細断が不安定となることがあるため、細断率が劣るという問題もある。しかし、この細断方式では、製造コストが安く済むため、小型の家庭用シュレッダーなどによく使われている。クロスカット方式のシュレッダーの例としては、特許文献１がある。
【０００６】
ダブル（スパイラル）カット方式とは、一対のストレートカッターの下方にスパイラルカッターを設けておき、ストレートカッターで細断された細断屑をスパイラルカッターで細断するという方式である。
【０００７】
このようなダブル（スパイラル）カット方式は、“せん断”（例：はさみで切る）タイプであるため、細断屑は膨らまず、細断屑の嵩張りは小さくて済む。また、このタイプでは、紙同士がくっついたりして細断が不安定となることもないため、細断率が良く、市場でも人気がある。
【０００８】
しかし、この細断方式では、細断率が良いため情報管理の点では優れているものの、クロスカット方式と比べると製造コストが高くなるため、主にオフィス用のシュレッダーなどによく見られる。ダブル（スパイラル）カット方式のシュレッダーの例としては、特許文献２がある。
【０００９】
ダブル（スパイラル）カット方式の場合、ストレートカッターとスパイラルカッターが必要となるため、クロスカット方式と比べると製造コストが高くなるだけでなく、大型化し、重量も増えるという問題がある。
【先行技術文献】
【特許文献】
【００１０】
【特許文献１】特開平１０−１５６２０４号公報
【特許文献２】特開平７−１４４１４３号公報
【発明の概要】
【発明が解決しようとする課題】
【００１１】
本発明は、上記従来技術の問題点に鑑みてなされたもので、細断屑が嵩張らずに済み、且つ細断率が良いと共に、製造コストを抑え、小型化も可能なシュレッダーを提供することを目的とする。
【課題を解決するための手段】
【００１２】
上記課題を解決するために、本発明のシュレッダーは、細断用紙を投入するための投入口と、前記投入口から投入された細断用紙を細断するための細断部とを含むシュレッダーにおいて、細断部が、多数の凸状細断刃を周面に備えた回転刃と、前記回転刃の長手方向長さと同一の長さを有し、前記回転刃の凸状細断刃と噛み合う多数の凹状細断刃を備えた固定刃と、を有し、前記回転刃の凸状細断刃と前記固定刃の凹状細断刃とが互いに噛み合うことで前記細断用紙が細断されてなることを特徴とする。
【００１３】
このようにすれば、細断屑が嵩張らない“せん断”方式でありながら、ダブル（スパイラル）カット方式のように、２種類の回転刃を設ける必要がないため、製造コストが安くなるだけでなく、小型化することができ、軽量化もできるという利点がある。
【００１４】
また、前記回転刃の凸状細断刃及び前記固定刃の凹状細断刃がそれぞれ列設されてなり、前記回転刃の凸状細断刃又は前記固定刃の凹状細断刃のいずれかが、前記回転刃の軸線に対して傾いて設けられるのが好適である。
【００１５】
すなわち、前記回転刃の軸線に対して、前記回転刃の凸状細断刃を傾けて設けてもよいし、前記回転刃の軸線に対して、前記固定刃の凹状細断刃を傾けて設けてもよい。前記回転刃の軸線に対して、前記回転刃の凸状細断刃を傾けて設ける場合には、固定刃の凹状細断刃は前記回転刃の軸線に対して平行が好ましく、前記回転刃の軸線に対して、前記固定刃の凹状細断刃を傾けて設ける場合には、回転刃の凸状細断刃は前記回転刃の軸線に対して平行が好ましい。
【００１６】
このように、前記回転刃の凸状細断刃又は前記固定刃の凹状細断刃のいずれかが、前記回転刃の軸線に対して傾いて設けられることで、細断時の抵抗が軽減されるという利点がある。
【００１７】
したがって、前記回転刃の凸状細断刃の刃先群の稜線がＶ字状となるように凸状細断刃を設けるようにしてもよい。このようにすることで、前記回転刃の凸状細断刃の刃先群の中央が先に固定刃の凹状細断刃と噛み合い、前記回転刃の凸状細断刃の刃先群の両端が遅れて固定刃の凹状細断刃と噛み合うので、細断時の抵抗が軽減され、細断がスムーズになるという利点がある。さらに、前記回転刃の凸状細断刃の刃先群の稜線がＶ字状となるように凸状細断刃を設けると、前記回転刃の凸状細断刃の刃先群の中央から前記凸状細断刃の刃先群の両端へと均等に細断時の圧力がかかっていくため、細断時の紙のよれが低減されるという利点もある。
【００１８】
前記回転刃が、円筒状回転体とその周面に設けられた凸状細断刃とを含み、前記凸状細断刃が前記円筒状回転体の周面に対して直角とされた直角側面部を有するのがさらに好ましい。このようにすれば、回転刃の凸状細断刃の側面にストレートな部分が形成されるため、固定刃の凹状細断刃と噛み合って、連続して縦切りが行われていき、細断屑が横につながらなくなる。それ故、細断効率が向上する。
【００１９】
さらに、前記回転刃の凸状細断刃が、側面視矩形波状とされてなるのが好適である。
【００２０】
なお、前記回転刃の凸状細断刃としては、その根元部分に細断ポケット部が形成されている必要がある。そして、このポケット部の面積を変えることで、細断屑の大きさを変えることができる。
【発明の効果】
【００２１】
本発明のシュレッダーによれば、細断屑が嵩張らずに済み、且つ細断率が良いと共に、製造コストを抑え、小型化も可能なシュレッダーを提供することができるという著大な効果を奏する。
【図面の簡単な説明】
【００２２】
【図１】本発明のシュレッダーの一つの実施の形態を示す部分的な分解斜視図である。
【図２】本発明のシュレッダーに用いられる細断部の一つの実施の形態を示す拡大図であって、回転刃の凸状細断刃が、前記回転刃の軸線に対して傾いて設けられている状態を示す斜視図である。
【図３】本発明のシュレッダーに用いられる細断部の別の実施の形態を示す拡大図であって、固定刃の凹状細断刃が、回転刃の軸線に対して傾いて設けられている状態を示す斜視図である。
【図４】本発明のシュレッダーに用いられる細断部の他の実施の形態を示す拡大図であって、回転刃の凸状細断刃の刃先群の稜線が、Ｖ字状となるように凸状細断刃を設けた状態を示す斜視図である。
【図５】本発明のシュレッダーに用いられる回転刃の細断ポケット部を示す側面図である。
【図６】本発明のシュレッダーに用いられる回転刃の凸状細断刃の種々の形状を示す要部概略図である。
【発明を実施するための形態】
【００２３】
以下に本発明の実施の形態を説明するが、これら実施の形態は例示的に示されるもので、本発明の技術思想から逸脱しない限り種々の変形が可能なことはいうまでもない。図示において、同一部材は同一符号であらわされる。
【００２４】
図において、符号１０は本発明のシュレッダーの一つの実施の形態を示す。
【００２５】
シュレッダー１０は、図１によく示される如く、細断用紙を投入するための投入口１２と、前記投入口１２から投入された細断用紙を細断するための細断部１４Ａとを含むシュレッダーにおいて、細断部１４Ａが、多数の凸状細断刃１６を周面１８に備えた回転刃２０と、前記回転刃２０の長手方向長さと同一の長さを有し、前記回転刃２０の凸状細断刃１６と噛み合う多数の凹状細断刃２２を備えた固定刃２４と、を有し、前記回転刃２０の凸状細断刃１６と前記固定刃２４の凹状細断刃２２とが互いに噛み合うことで前記細断用紙が細断されてなる構成とされている。
【００２６】
なお、符号２６はシュレッダーの筐体であり、符号２８は筐体２６に収納された屑箱である。シュレッダー１０は、さらに開閉可能な扉を有しているが、図１の例では、扉を外して屑箱２８が視認できるようにした図示例を示した。
【００２７】
図２に、細断部１４Ａを拡大した図を示す。図２の細断部１４Ａにおいて、回転刃２０の凸状細断刃１６が、前記回転刃２０の軸線Ｏに対して傾いて設けられている。また、固定刃２４の凹状細断刃２２は前記回転刃２０の軸線Ｏに対して平行となるように設けられている。
【００２８】
細断部の別の実施の形態として、図３に、細断部１４Ｂを拡大した図を示す。図３の細断部１４Ｂにおいて、固定刃３４の凹状細断刃３６は前記回転刃３０の軸線Ｐに対して傾いて設けられている。また、回転刃３０の凸状細断刃３２は、前記回転刃３０の軸線Ｐに対して平行となるように設けられている。
【００２９】
細断部の他の実施の形態として、図４に、細断部１４Ｃを拡大した図を示す。図４の細断部１４Ｃにおいて、回転刃３８の凸状細断刃４０が、前記回転刃３８の軸線Ｑに対して傾いて設けられおり、刃先群の稜線がＶ字状となるように凸状細断刃４０が形成されている。すなわち、前記回転刃３８の凸状細断刃４０の刃先群４２が、前記回転刃３８の中央に行くに従い、先に固定刃４４の凹状細断刃４６と噛み合うように構成されている。一方、固定刃４４の凹状細断刃４６は、前記回転刃３８の軸線Ｑに平行に設けられている。
【００３０】
このようにすることで、前記回転刃３８の凸状細断刃４０の刃先群の中央が先に固定刃４４の凹状細断刃４６と噛み合い、前記回転刃３８の凸状細断刃４０の刃先群の両端が遅れて固定刃４４の凹状細断刃４６と噛み合うので、細断時の抵抗が軽減され、細断がスムーズになるという利点がある。
【００３１】
図１〜図４の前記回転刃２０，３０，３８の凸状細断刃１６，３２，４０は、その根元部分に、図５に示すような細断ポケット部４８が形成されている。
【００３２】
また、図５において、細断部１４Ａの回転刃２０の凸状細断刃１６の根元部分に設けられた細断ポケット部４８を示す。細断ポケット部４８は、固定刃２４の凹み底部５０と回転刃２０の凸頂部５２並びに固定刃２４の凸頂部５４と回転刃２０の凹み底部５６との隙間にできる細断ポケット部である。
【００３３】
つまり、回転刃２０の凸状細断刃１６と固定刃２４の凹状細断刃２２とが噛み合っても、この細断ポケット部４８には隙間が必ずできることとなり、この細断ポケット部４８の面積が細断屑のチップの大きさとなるのである。故に、この細断ポケット部の面積を変えることで、細断屑の大きさを変えることができる。
【００３４】
また、図１〜図４の例では、前記回転刃２０，３０，３８の凸状細断刃１６，３２，４０が、側面視矩形波状とされてなる例を示した。
【００３５】
前記回転刃２０，３０，３８としては、円筒状回転体５８，６０，６２とその周面１８，６４，６６に設けられた凸状細断刃１６，３２，４０とを含んでいる。そして、図６（ａ）によく示される如く、前記回転刃２０の凸状細断刃１６は、側面視矩形波状とされており、前記凸状細断刃１６は前記円筒状回転体５８の周面１８に対して直角とされた直角側面部６８を有している。前記回転刃３０，３８の凸状細断刃３２，４０も同様である。このようにすれば、回転刃２０，３０，３８の凸状細断刃１６，３２，４０の側面にストレートな部分が形成されるため、固定刃２４，３４，４４の凹状細断刃２２，３６，４６と噛み合って、連続して縦切りが行われていき、細断屑が横につながらなくなる。それ故、細断効率が向上する。
【００３６】
円筒状回転体の周面に対して直角とされた直角側面部の例としては、図６（ａ）の形状に限定されるものではなく、例えば、図６（ｂ）に示す形状のように、凸状細断刃７０が、円筒状回転体の周面に対して直角とされた直角側面部７２を有していればよい。すなわち、凸状細断刃７０の側面にストレートな部分が形成されていればよいのである。
【００３７】
しかしながら、図６（ｃ）及び図６（ｄ）に示されるような凸状細断刃７４，７６では、円筒状回転体の周面に対して直角とされた直角側面部を有さず、凸状細断刃７４，７６の側面にストレートな部分が形成されていないため、連続して縦切りが行われず、細断屑が横につながってしまう。故に、上記した図６（ａ）や図６（ｂ）に示す形状のように、直角側面部６８，７２が形成されているのが好適である。
【符号の説明】
【００３８】
１０：シュレッダー、１２：投入口、１４Ａ，１４Ｂ，１４Ｃ：細断部、１６，３２，４０，７０，７４，７６：凸状細断刃、１８，６４，６６：周面、２０，３０，３８：回転刃、２２，３６，４６：凹状細断刃、２４，３４，４４：固定刃、２６：筐体、２８：屑箱、４２：刃先群、４８：細断ポケット部、５０：固定刃の凹み底部、５２：回転刃の凸頂部、５４：固定刃の凸頂部、５６：回転刃の凹み底部、５８，６０，６２：円筒状回転体、６８，７２：直角側面部、Ｏ，Ｐ，Ｑ：軸線。
【図１】
2013154307.tif 000003
【図２】
2013154307.tif 000004
【図３】
2013154307.tif 000005
【図４】
2013154307.tif 000006
【図５】
2013154307.tif 000007
【図６】
2013154307.tif 000008